(57)【要約】【課題】電源ケーブルを用いた接続に際して起こり得る異常を的確に判定する。【解決手段】電源供給のためのソケットに差し込まれる金属端子を突出させた電源プラグを有する電源ケーブルによる接続の異常を判定するための異常判定装置であって、前記ソケットへの前記金属端子の一定量以上の差し込みにより所定位置へ移動する移動端子と、前記電源ケーブル内の電線を介して前記金属端子と接続し所定レベルの電圧を出力可能な電源回路と、前記移動端子の所定位置への移動の検知と、前記電源回路から出力される前記所定レベルの電圧の検知とを実行する制御部とを備え、前記制御部は、前記所定位置への移動を検知し且つ前記所定レベルの電圧を検知できない場合と、前記所定レベルの電圧を検知し且つ前記所定位置への移動を検知できない場合と、のいずれにおいても異常と判定する。【選択図】図１
2016009675.tif 000002
【特許請求の範囲】
【請求項１】
電源供給のためのソケットに差し込まれる金属端子を突出させた電源プラグを有する電源ケーブルによる接続の異常を判定するための異常判定装置であって、
前記ソケットへの前記金属端子の一定量以上の差し込みにより所定位置へ移動する移動端子と、
前記電源ケーブル内の電線を介して前記金属端子と接続し所定レベルの電圧を出力可能な電源回路と、
前記移動端子の所定位置への移動の検知と、前記電源回路から出力される前記所定レベルの電圧の検知とを実行する制御部とを備え、
前記制御部は、前記所定位置への移動を検知し且つ前記所定レベルの電圧を検知できない場合と、前記所定レベルの電圧を検知し且つ前記所定位置への移動を検知できない場合と、のいずれにおいても異常と判定する、ことを特徴とする異常判定装置。
【請求項２】
前記制御部は、前記所定位置への移動を検知し且つ前記所定レベルの電圧を検知できない場合、第１の異常を知らせるための第１の報知を外部に対して行い、前記所定レベルの電圧を検知し且つ前記所定位置への移動を検知できない場合、第２の異常を知らせるための第２の報知を外部に対して行う、ことを特徴とする請求項１に記載の異常判定装置。
【請求項３】
前記制御部は、前記異常と判定した場合、前記電源回路からの電圧の出力を停止させることを特徴とする請求項１または請求項２に記載の異常判定装置。
【請求項４】
前記制御部は、前記所定位置への移動を検知し、且つ、前記所定レベルの電圧の検知と前記所定レベルの電圧を検知できない非検知とを繰り返す場合、前記電源回路からの電圧の出力を停止させることを特徴とする請求項１または請求項２に記載の異常判定装置。
【請求項５】
前記制御部は、前記電源回路からの電圧の出力を停止させた後、前記電源回路からの電圧の出力を再開させ、当該再開後、前記所定レベルの電圧の検知と前記所定レベルの電圧の非検知とを繰り返す場合、前記電源回路からの電圧の出力を停止させる、ことを特徴とする請求項４に記載の異常判定装置。
【請求項６】
前記移動端子は、前記ソケットと相対する前記電源プラグの面の前記金属端子を除いた全範囲を含んで構成されることを特徴とする請求項１〜請求項５のいずれかに記載の異常判定装置。
【請求項７】
電源供給のためのソケットに差し込まれる金属端子を突出させた電源プラグを有する電源ケーブルによる接続の異常を判定するための異常判定方法であって、
前記ソケットへの前記金属端子の一定量以上の差し込みを検知し且つ前記電源ケーブル内の電線を介して前記金属端子と接続する電源回路からの所定レベルの電圧の出力を検知できない場合と、前記所定レベルの電圧の出力を検知し且つ前記一定量以上の差し込みを検知できない場合と、のいずれにおいても異常と判定する、ことを特徴とする異常判定方法。 
【発明の詳細な説明】
【技術分野】
【０００１】
本発明は、異常判定装置および異常判定方法に関する。
【背景技術】
【０００２】
電化製品は、先端に電源プラグを有する電源ケーブルにより、電源供給のためのソケット（いわゆるコンセント）と接続することで、動作に必要な電源供給を受ける。ユーザは、電源プラグから突出する金属端子をソケットの穴に差し込む。このとき、差し込みが不十分であると、金属端子が外部に露出した状態で通電され、当該露出部分に埃が付着する等して危険性（漏電、火災等の危険性）が生じる
【０００３】
なお、電源プラグを電源コンセントに差し込むと、プラグ側の金属接続子がコンセント側の金属接続子に触れて報知器ドライブ回路によりブザーが鳴動し、さらに深くプラグが挿入されると検出ピンが押し込められ、これによってマイクロスイッチが作用し、ブザーの鳴動を停止させる家庭用電源プラグが知られている（特許文献１参照）。
【０００４】
また、コンセントに差込接続するための１対の栓刃をプラグ本体に突設した電源プラグにおいて、プラグ本体の栓刃間に差込検出ボタンを栓刃の差込方向に出没可能にした上で、弾性体の付勢によりプラグ本体から突出した状態に設け、栓刃をコンセントに差込接続して通電した状態で差込検出ボタンがプラグ本体の表面から所定量突出した場合にスイッチがオンし、該スイッチのオンにより報知手段が異常を報知する電源プラグが知られている（特許文献２参照）。
【先行技術文献】
【特許文献】
【０００５】
【特許文献１】特開２０００‐９１０３３号公報
【特許文献２】特開２００８‐３０５６８３号公報
【発明の概要】
【発明が解決しようとする課題】
【０００６】
上述の文献はいずれも電源プラグの差し込みが不十分であることを報知する。しかし、電源ケーブルを用いたソケットとの接続に際して起こり得る危険は、電源プラグの差し込み不備に依るものに限られず、仮に電源プラグが十分に差し込まれている場合でも、安全ではない場合がある。
【０００７】
本発明は少なくとも上記課題を解決するためになされたものであり、電源ケーブルを用いた接続に際して起こり得る異常を的確に判定する異常判定装置および異常判定方法を提供する。
【課題を解決するための手段】
【０００８】
本発明の態様の一つは、電源供給のためのソケットに差し込まれる金属端子を突出させた電源プラグを有する電源ケーブルによる接続の異常を判定するための異常判定装置であって、前記ソケットへの前記金属端子の一定量以上の差し込みにより所定位置へ移動する移動端子と、前記電源ケーブル内の電線を介して前記金属端子と接続し所定レベルの電圧を出力可能な電源回路と、前記移動端子の所定位置への移動の検知と、前記電源回路から出力される前記所定レベルの電圧の検知とを実行する制御部とを備え、前記制御部は、前記所定位置への移動を検知し且つ前記所定レベルの電圧を検知できない場合と、前記所定レベルの電圧を検知し且つ前記所定位置への移動を検知できない場合と、のいずれにおいても異常と判定する。
【０００９】
本態様によれば、前記移動端子の所定位置への移動を検知し且つ前記所定レベルの電圧を検知できない場合と、前記所定レベルの電圧を検知し且つ前記移動端子の所定位置への移動を検知できない場合と、のいずれにおいても異常と判定する。つまり、ソケットへの電源プラグの差し込みは十分であるが電源回路から本来出力されるべきレベルの出力が無い場合（ケーブル内部の電線の劣化や断線等の異常）と、電源回路から本来出力されるべきレベルの出力が有るがソケットへの電源プラグの差し込みが不十分である場合との両方のケースを異常と判定することができ、より安全性が高まる。
【００１０】
本発明の技術的思想は、異常判定装置以外の態様によって実現されてもよい。例えば、電源供給のためのソケットに差し込まれる金属端子を突出させた電源プラグを有する電源ケーブルによる接続の異常を判定するための異常判定方法であって、前記ソケットへの前記金属端子の一定量以上の差し込みを検知し且つ前記電源ケーブル内の電線を介して前記金属端子と接続する電源回路からの所定レベルの電圧の出力を検知できない場合と、前記所定レベルの電圧の出力を検知し且つ前記一定量以上の差し込みを検知できない場合と、のいずれにおいても異常と判定する方法によっても、前記異常判定装置と同様の効果が生じる。また、異常判定装置を構成の一部に含む電化製品を一つの発明として捉えることも可能である。
【図面の簡単な説明】
【００１１】
【図１】第１実施例にかかる異常判定装置を簡易的に示す図。
【図２】第２実施例にかかる異常判定装置を簡易的に示す図。
【図３】電源プラグの他の例を示す図。
【発明を実施するための形態】
【００１２】
本発明の実施形態として、前記制御部は、前記所定位置への移動を検知し且つ前記所定レベルの電圧を検知できない場合、第１の異常を知らせるための第１の報知を外部に対して行い、前記所定レベルの電圧を検知し且つ前記所定位置への移動を検知できない場合、第２の異常を知らせるための第２の報知を外部に対して行う、としてもよい。
【００１３】
また、本発明の実施形態として、前記制御部は、前記異常と判定した場合、前記電源回路からの電圧の出力を停止させるとしてもよい。
【００１４】
また、本発明の実施形態として、前記制御部は、前記所定位置への移動を検知し、且つ、前記所定レベルの電圧の検知と前記所定レベルの電圧を検知できない非検知とを繰り返す場合、前記電源回路からの電圧の出力を停止させるとしてもよい。
【００１５】
また、本発明の実施形態として、前記制御部は、前記電源回路からの電圧の出力を停止させた後、前記電源回路からの電圧の出力を再開させ、当該再開後、前記所定レベルの電圧の検知と前記所定レベルの電圧の非検知とを繰り返す場合、前記電源回路からの電圧の出力を停止させるとしてもよい。
【００１６】
また、本発明の実施形態として、前記移動端子は、前記ソケットと相対する前記電源プラグの面の前記金属端子を除いた全範囲を含んで構成されるとしてもよい。
【００１７】
以下、図面を参照しながら本発明の実施形態を更に説明する。
（第１実施例）
図１は、第１実施例にかかる異常判定装置２０を含む電化製品１０の一部を簡易的に示している。電化製品１０には、外部の電源供給用のソケット１（いわゆるコンセント）と電源ケーブル３０を用いて接続して電源供給を受ける物であればあらゆる製品が該当し、例えば、テレビ、ビデオレコーダ、ＰＣ（パーソナルコンピュータ）、ドライヤー、掃除機、冷蔵庫、エアーコンディショナー、洗濯機、その他各種ＡＶ機器やデジタル家電等、多岐にわたる。
【００１８】
異常判定装置２０は、電源ケーブル３０による接続の異常を判定するために、概略、電化製品１０の本体側の構成と電源ケーブル３０にかかる構成とを有する。なお、電化製品１０の“本体”とは、電化製品１０のうち電源ケーブル３０を除いた部分を指すための便宜上の表現である。電化製品１０の概念に、電源ケーブル３０を含めるか含めないかはどちらでも構わない。本発明の異常判定方法は、例えば、異常判定装置２０によって実現される。電化製品１０から延出した電源ケーブル３０は、先端に電源プラグ３１を有する。電源プラグ３１は、屋内や屋外の壁や床等の面２に適宜設けられたソケット１に差し込まれる所定数の金属端子３２（図では２本の金属端子３２）を突出させている。金属端子３２をソケット１に差し込む際に面２と相対する電源プラグ３１側の面を、便宜上、差込側面３３と呼ぶ。
【００１９】
電源ケーブル３０は、図示しない絶縁体で外側が夫々覆われた電線４０ａ，４０ｂ，４１ａ，４１ｂを有する。電線４０ａ，４０ｂは、金属端子３２と一対一で接続することで、ソケット１から供給される交流（ＡＣ）を電化製品１０に入力させる。一方、電線４１ａ，４１ｂは、電源プラグ３１内に設けられたスイッチ３４によって接続可能である。つまり、スイッチ３４がオン状態となれば、電線４１ａと電線４１ｂはスイッチ３４を介して電気的に接続し、スイッチ３４がオフ状態となれば、電線４１ａと電線４１ｂは電気的に非接続状態となる。
【００２０】
スイッチ３４のオン／オフは、移動端子３５の移動に従って切り替えられる。移動端子３５は、差込側面３３から金属端子３２が突出する方向と同じ方向へ突出可能な杭状の部材であり、常時、図示しない弾性部材（例えばコイルばね）によって、当該方向へ付勢されている。差込側面３３の一部には、移動端子３５を通過させるための貫通孔が形成されている。移動端子３５は、金属端子３２がソケット１に差し込まれていない状態では、差込側面３３から最大限突出し、金属端子３２がソケット１に差し込まれる過程で、面２と接触することで前記付勢に抗う方向に移動する。移動端子３５は、金属端子３２がソケット１に正常に差し込まれた状態（面２と差込側面３３とがほぼ接触した状態）では、ほぼ全体が電源プラグ３１内に収容される。図１では、このように電源プラグ３１に収容された位置にある移動端子３５を破線にて例示している。当該破線で例示した位置へ移動した移動端子３５は、少なくとも「ソケットへの金属端子の一定量以上の差し込みにより所定位置へ移動した移動端子」の一例に該当する。
【００２１】
スイッチ３４は、移動端子３５と直接あるいは間接的に接続しており、移動端子３５が前記所定位置へ移動したことに連動してオン状態へ切り替わる。すなわち、金属端子３２がソケット１へ正常に差し込まれることで、移動端子３５が前記所定位置へ移動し、これによりスイッチ３４がオン状態となって電線４１ａと電線４１ｂとが電気的に接続する。金属端子３２がソケット１へ差し込まれていない状態、および、金属端子３２のソケット１への差し込み量が不十分である状態では、移動端子３５が前記所定位置に到達していないため、スイッチ３４はオフ状態を維持し、電線４１ａと電線４１ｂは電気的に非接続状態となる。
【００２２】
電化製品１０の本体側には、電線４０ａ，４０ｂからＡＣを入力する電源回路５０が設けられている。電源回路５０は、入力されたＡＣを整流等する一次側回路５１、一次側回路５１からの出力電圧を変圧するトランス５２、トランス５２からの出力電圧から直流（ＤＣ）を抽出して電源供給線６０へ出力するダイオード５３、といった構成を有する。電源回路５０は、出力電圧を平滑化するためのコンデンサ等を更に含むとしてもよい。電源回路５０から電源供給線６０へ出力された出力電圧は、電化製品１０内の各動作部へ供給されることで、各動作部を稼働させる。動作部とは、モーターや、各種電子回路等、電化製品１０本来の機能を実現するために動作する構成である。
【００２３】
電源供給線６０に出力された出力電圧は、マイクロコンピュータ（マイコン）７０の検知ポート７０ａにも入力する。マイコン７０は、電池７１からの電源供給により稼働することで後述する異常判定を実現する。つまり、異常判定装置２０のうちの電化製品１０の本体側の構成は、主としてマイコン７０によって担われている。マイコン７０は、制御部の一例に該当する。電池７１は、充電回路７２によって充電される充電池である。充電回路７２は、電源供給線６０と繋がることにより電源供給を受けて、電池７１を充電する。このように充電回路７２によって充電される電池７１からの電源供給によりマイコン７０を稼働させる構成としたことで、電源回路５０から電圧が出力されない期間においても、マイコン７０は稼働することができる。
【００２４】
マイコン７０は、入力ポート７０ａに入力された電圧のレベルを、予め設定したしきい値と比較し、当該しきい値以上の電圧が入力されたか否か判定する。マイコン７０は、当該しきい値以上の電圧が入力された場合、電源回路５０から出力される所定レベルの電圧の検知に成功した、つまり電源回路５０の出力は正常であると判定する。
【００２５】
また、マイコン７０の検知ポート７０ｂには、電線４１ａが接続され、マイコン７０の検知ポート７０ｃには、電線４１ｂが接続されている。図示するように、電線４１ａは、、所定の電源（例えば、５Ｖ程度）によって抵抗を介してプルアップされている。一方、電線４１ｂは、抵抗を介してグラウンド端子ＧＮＤと接続することで接地されている。従って、スイッチ３４がオフ状態にある場合、電線４１ａと電線４１ｂは電気的に非接続状態であるため、マイコン７０は、検知ポート７０ｂを介して、前記プルアップに起因する所定のハイ（Ｈ）レベル信号を検知する。一方、スイッチ３４がオン状態にある場合、電線４１ａと電線４１ｂは電気的に接続するため、電線４１ａもグラウンド端子ＧＮＤに接続した状態となり、マイコン７０は、検知ポート７０ｂを介して、電線４１ａがグラウンド端子ＧＮＤに接続したことに起因する所定のロー（Ｌ）レベル信号を検知する。マイコン７０は、検知ポート７０ｂで検知される信号がＬレベル信号であれば、移動端子３５が前記所定位置へ移動した、つまり電源プラグ３１の金属端子３２がソケット１に正常に差し込まれたと判定する。
【００２６】
このようにマイコン７０は、上述の検知ポート７０ａ，７０ｂそれぞれを監視することで、電源回路５０から出力される所定レベルの電圧を検知したか否か（＝電源回路５０の出力は正常であるか否か）の判定と、移動端子３５が前記所定位置へ移動したか否か（＝電源プラグ３１の金属端子３２がソケット１に正常に差し込まれたか否か）の判定を行うことができる。マイコン７０は、電源回路５０から前記所定レベルの電圧の出力を検知できず、かつ、移動端子３５が前記所定位置へ移動したことを検知できない場合は、単に電源プラグ３１の金属端子３２がソケット１から外されていると判定できるため、異常とは判定しない。一方、マイコン７０は、移動端子３５が前記所定位置へ移動したことを検知し、かつ、電源回路５０から前記所定レベルの電圧の出力を検知できない場合と、電源回路５０から前記所定レベルの電圧の出力を検知でき、かつ、移動端子３５が前記所定位置へ移動したことを検知できない場合とは、いずれも異常と判定する。
【００２７】
以下では便宜上、移動端子３５が前記所定位置へ移動したことを検知し、かつ、電源回路５０から前記所定レベルの電圧の出力を検知できない場合を「第１の異常」と呼び、電源回路５０から前記所定レベルの電圧の出力を検知でき、かつ、移動端子３５が前記所定位置へ移動したことを検知できない場合を「第２の異常」と呼ぶ。第１の異常は、ソケット１への金属端子３２の差し込みは正常にもかかわらず、電源回路５０からの出力が正常でないため、電源ケーブル３０内の電線４０ａ，４０ｂの劣化や断線等の異常が疑われる。第２の異常は、電源回路５０からの出力は正常にもかかわらず、ソケット１への金属端子３２の差し込みが正常でないため、金属端子３２がソケット１と通電しているが差し込みが不十分である状況（差し込み不備）が疑われる。
【００２８】
マイコン７０は、報知部８０と接続している。マイコン７０は、上述したように異常と判定した場合、異常の発生を外部に対して報知する。例えば、報知部８０は、発光部としてのＬＥＤ８１，８２を有する。マイコン７０は、第１の異常が発生したと判定した場合、報知部８０を制御してＬＥＤ８１を発光させる。つまり、ＬＥＤ８１を発光させることで、ユーザに対して、第１の異常を知らせる。ＬＥＤ８１を発光させることは、第１の異常を知らせるための第１の報知の一例である。また、マイコン７０は、第２の異常が発生したと判定した場合、報知部８０を制御してＬＥＤ８２を発光させる。つまり、ＬＥＤ８２を発光させることで、ユーザに対して、第２の異常を知らせる。ＬＥＤ８２を発光させることは、第２の異常を知らせるための第２の報知の一例である。ユーザは、このような報知を認識することで、電線の劣化や断線等の検査や修理、前記差し込み不備の解消等、安全のために必要な行動を適宜採ることができる。
【００２９】
第１の報知、第２の報知の具体的手法は、異なる発光部を夫々発光させることに限定されない。例えば、一つの発光部の発光の仕方（点滅パターン等）を変えることで、第１の報知と第２の報知とを分けてもよい。また、発光色を変えることで第１の報知と第２の報知とを分けてもよい。むろん、報知の手段は、ユーザの視覚に訴える手段に限らず、音声や振動等、何らかの態様でユーザに報知できるものであればよい。
【００３０】
マイコン７０は、第１の異常または第２の異常が発生したと判定した場合、上述したような報知を行うだけでなく、電化製品１０が稼働しないようにする。なお、第１の異常である場合は、電源回路５０の出力は正常でないため基本的には電化製品１０の各動作部は稼働できないと考えられるが、電源回路５０の出力が完全に０になるとは限らないため、電化製品１０の各動作部が不安定に稼働する恐れもある。そのため、マイコン７０は、第２の異常が発生した場合だけでなく、第１の異常が発生した場合も、電化製品１０の稼働を禁止する。このような禁止のための措置として、電源回路５０からの出力を停止させる。例えば、マイコン７０は、電源供給線６０に設けた不図示のスイッチを切ることで、電源回路５０から各動作部へ電源供給がされることを禁止したり、あるいは、一次側回路５１の入力側に設けた不図示のスイッチを切ることで、ＡＣが電源回路５０へ入力されることを禁止する。
【００３１】
このような第１実施例によれば、異常判定装置２０のマイコン７０は、移動端子３５の所定位置への移動を検知し且つ前記所定レベルの電圧を検知できない場合と、前記所定レベルの電圧を検知し且つ移動端子３５の所定位置への移動を検知できない場合と、のいずれにおいても異常と判定する。つまり、ソケット１への電源プラグ３１の差し込みは十分であるが電源回路５０から本来出力されるべきレベルの出力が無い場合（ケーブル内部の電線の劣化や断線等の異常）と、電源回路５０から本来出力されるべきレベルの出力が有るがソケット１への電源プラグ３１の差し込みが不十分である場合との両方のケースを異常と判定することができ、電化製品１０を使用するユーザの安全性がより高まる。
【００３２】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、既に説明した事項と異なる点を主に説明する。
【００３３】
（第２実施例）
図２は、第２実施例にかかる異常判定装置２０を含む電化製品１０の一部を簡易的に示している。図２は、図１（第１実施例）と比較したとき、一次側回路５１の入力側の電線４０ａ（または４０ｂ）にリレー回路（継電器）９０を設けた点で異なる。マイコン７０は、検知ポート７０ａに入力される電圧のレベルが、前記しきい値以上となったり前記しきい値を下回ったりして、前記所定レベルの電圧を検知できる状況と前記所定レベルの電圧を検知できない非検知の状況とを繰り返す場合、リレー回路９０を制御して、一次側回路５１への電圧入力を遮断させる。これにより、電源回路５０からの出力を停止させる。かかる構成により、例えば、ソケット１への金属端子３２の差し込みは正常にもかかわらず、電源回路５０からの出力が不安定であるときに、電化製品１０の誤動作等を回避するために、電源回路５０からの出力を停止させることができる。
【００３４】
ただし、マイコン７０は、リレー回路９０を制御して一次側回路５１への電圧入力を遮断させた場合、定期的に、リレー回路９０を制御して一次側回路５１への電圧入力を許可して電源回路５０からの電圧の出力を再開させ、検知ポート７０ａに入力される電圧のレベルが安定したか否か判定する。この場合、なおも、検知ポート７０ａに入力される電圧のレベルが、前記しきい値以上となったり前記しきい値を下回ったりして、前記所定レベルの電圧を検知できる状況と前記所定レベルの電圧を検知できない非検知の状況とを繰り返す場合、再びリレー回路９０を制御して一次側回路５１への電圧入力を遮断させる。一方、電源回路５０からの出力再開後に、検知ポート７０ａに入力される電圧のレベルが安定して前記しきい値以上である場合、リレー回路９０による前記遮断は行わない。
【００３５】
（第３実施例）
図３は、図１，２に例示した電源ケーブル３０とは電源プラグ３１の構成が異なる電源ケーブル３０を例示している。図３に示した電源ケーブル３０は、図１，２と同様に、電線４０ａ，４０ｂ，４１ａ，４１ｂを有する。また、電線４１ａ，４１ｂが、電源プラグ３１内に設けられたスイッチ３４によって接続可能である点も、図１，２と同じである。ただし図３の例では、移動端子３５の形態が図１，２とは異なる。図１，２では、移動端子３５は、差込側面３３から突出する杭状の部材であるとしたが、図３では、移動端子３５は、ソケット１（図１，２参照）と相対する面の金属端子３２を除いた全範囲を含んで構成されている。つまり、ソケット１が形成された面２（図１，２参照）と相対する電源プラグ３１の面（差込側面３３）の全てが移動端子３５となっている。
【００３６】
詳細には、金属端子３２は、移動端子３５を除いた電源プラグ３１の先端側の部分に対して固定されており、移動端子３５は、移動端子３５を除いた電源プラグ３１の先端側の面３６を覆う形状となっている。移動端子３５には、金属端子３２を通過させる貫通孔が形成されており、当該貫通孔の存在により、移動端子３５と金属端子３２とが干渉しないようになっている。図３の構成においても、スイッチ３４のオン／オフは、移動端子３５の移動に従って切り替えられる。移動端子３５は、常時、図示しない弾性部材（例えばコイルばね）によって、金属端子３２が突出する方向と同じ方向へ付勢されている。移動端子３５は、金属端子３２がソケット１に差し込まれていない状態では、面３６から最大限離間し、金属端子３２がソケット１に差し込まれる過程で、差込側面３３を面２（図１，２参照）と接触させることで前記付勢に抗う方向に移動する。移動端子３５は、金属端子３２がソケット１に正常に差し込まれた状態（面２と差込側面３３とがほぼ接触した状態）では、面３６とほぼ接触する。このように面３６とほぼ接触する位置へ移動した移動端子３５は、少なくとも「ソケットへの金属端子の一定量以上の差し込みにより所定位置へ移動した移動端子」の一例に該当する。
【００３７】
スイッチ３４は、移動端子３５と直接あるいは間接的に接続しており、移動端子３５が前記所定位置へ移動したときオン状態へ切り替わる。すなわち、金属端子３２がソケット１へ正常に差し込まれることで、移動端子３５が前記所定位置へ移動し、これによりスイッチ３４がオン状態となって電線４１ａと電線４１ｂとが電気的に接続する。金属端子３２がソケット１へ差し込まれていない状態、および、金属端子３２のソケット１への差し込み量が不十分である状態では、移動端子３５が前記所定位置に到達していないため、スイッチ３４はオフ状態を維持し、電線４１ａと電線４１ｂは電気的に非接続状態となる。
【００３８】
移動端子３５が差込側面３３から突出する杭状の部材であると、ソケット１を形成した面２における移動端子３５の先端と相対する箇所が偶々窪んでいたりすると、金属端子３２をソケット１に深く差し込んだ場合でも、移動端子３５を十分に移動させられない（スイッチ３４をオン状態にする位置まで移動させられない）ことがある。しかし第３実施例（図３）のように、電源プラグ３１の差込側面３３全体を移動端子３５とすれば、面２の所々に窪みが有ったとしても、金属端子３２をソケット１に差し込んだ際、移動端子３５を確実に移動させることができる。
【００３９】
（その他の実施例）
マイコン７０へ電源供給するために、電池７１の替わりに、電気二重層コンデンサを用いてもよい。この場合、充電回路７２は不要であり、電気二重層コンデンサに、電源供給線６０から電圧を印加する構成とする。このような構成とすることで、電気二重層コンデンサが充電される。
【００４０】
また、報知部８０は、ディスプレイにメッセージを表示させる機能であってもよい。例えば、電化製品１０が、テレビ等、自身でディスプレイを有する製品であったり、ビデオレコーダ等、ディスプレイ（テレビ）と接続している製品である場合、報知部８０は、第１の異常や第２の異常をユーザに伝えるためのメッセージ（警告文）を前記ディスプレイに表示させる。当該メッセージとしては、例えば、「電源プラグを完全に差し込んで下さい」、「電源ケーブルが劣化している可能性があり、危険です」等といった警告文が考えられる。
【００４１】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００４２】
１…ソケット、２…面、１０…電化製品、２０…異常判定装置、３０…電源ケーブル、３１…電源プラグ、３２…金属端子、３３…差込側面、３４…スイッチ、３５…移動端子、４０ａ，４０ｂ，４１ａ，４１ｂ…電線、５０…電源回路、７０…マイコン、８０…報知部、８１，８２…ＬＥＤ、９０…リレー回路 
【図１】
2016009675.tif 000003
【図２】
2016009675.tif 000004
【図３】
2016009675.tif 000005